(57)【要約】【課題】火災区域を分離する隔壁を貫通するバスダクトと前記隔壁との間の、火災時における封止性能を向上させることのできるバスダクトの封止装置及び貫通部構造を得る。【解決手段】封止装置１０は、断面がＬ形とＺ形の鋼材を溶接して構成された保持部材１１の枠材１２が隔壁としての耐火壁１を貫通する断面矩形のバスダクト４の外周部を取り囲んで設けられるとともに、枠材１２がボルト１４にてバスダクト４に固定され、バスダクト４との間に収容部１３を形成している。収容部１３には、弾性を有する不燃性ブランケット１８が弾性変形可能にかつ保持部材１１とバスダクト４との間の隙間およびバスダクト４と耐火壁１あるいはモルタル２との間の隙間を封止するようにして圧縮された状態で収容され、火災区域に火災が発生してバスダクト４が変形しても、不燃性ブランケット１８が弾性変形して隙間が生じるのを防止するので、封止性能が向上する。【選択図】図１
2016059228.tif 000002
【特許請求の範囲】
【請求項１】
バスダクトが貫通する隔壁と前記バスダクトとの間を封止するバスダクトの封止装置であって、
保持部材と封止部材とを備え、
前記保持部材は、前記バスダクトの外側にあって、前記バスダクトと前記隔壁との少なくとも一方に固定されるものであり、
前記封止部材は、遮炎性を有しかつ前記バスダクトの貫通方向と直交する方向に弾性変形可能であり、前記保持部材と前記バスダクトとの間に配置され前記保持部材により前記貫通方向と直交する方向に押圧され弾性変形した状態で前記バスダクトに接触するものである
バスダクトの封止装置。
【請求項２】
前記封止部材は、前記貫通方向にも弾性変形可能で前記保持部材によって前記貫通方向にも押圧され弾性変形した状態で前記隔壁に接触するものである
請求項１に記載のバスダクトの封止装置。
【請求項３】
前記保持部材は、前記封止部材を収容する封止部材収容部と、前記バスダクトに固定される固定部とを有するものである
請求項１又は請求項２に記載のバスダクトの封止装置。
【請求項４】
前記保持部材は、断面がＬ形の鋼材と断面がＺ形の鋼材とを溶接して構成されたものである
請求項１から請求項３のいずれか１項に記載のバスダクトの封止装置。
【請求項５】
前記封止部材は、遮炎性ブランケットである
請求項１から請求項４のいずれか１項に記載のバスダクトの封止装置。
【請求項６】
前記封止部材は、アルカリアースシリケートウールにより形成された遮炎性ブランケットである
請求項１から請求項５のいずれか１項に記載のバスダクトの封止装置。
【請求項７】
建築物に設けられた火災区域を画成する隔壁に形成された貫通孔をバスダクトが貫通する構造であって、
前記バスダクトが貫通する隔壁の少なくとも一方面側と前記バスダクトとの間は、請求項１から請求項６のいずれか１項に記載のバスダクトの封止装置で封止されるものである
バスダクトの貫通部構造。
【請求項８】
前記バスダクトの前記保持部材は、前記バスダクトの外周部を取り囲んで設けられるとともに前記バスダクトに固定されるものである
請求項７に記載のバスダクトの貫通部構造。
【請求項９】
前記バスダクトの前記保持部材は、前記バスダクトにボルトにより固定されるものである
請求項７又は請求項８に記載のバスダクトの貫通部構造。
【請求項１０】
前記バスダクトの前記保持部材は、前記隔壁に耐熱性粘着テープ及びボルトのうち少なくとも一方により固定されるものである
請求項７から請求項９のいずれか１項に記載のバスダクトの貫通部構造。
【発明の詳細な説明】
【技術分野】
【０００１】
本発明は、火災区域を分離する隔壁を貫通するバスダクトの封止装置及び貫通部構造に関する。
【背景技術】
【０００２】
従来の封止装置及び貫通部構造としての防火区画貫通部構造は、防火区画を画成する仕切り部に形成された貫通孔を貫通するケーブル・配管類及び前記ケーブル・配管類を支持するケーブラックと貫通孔（仕切り部）との隙間に複数個の成形充填材が互いに密接するように配置され、最初にあった隙間が閉塞された状態となっているものがある。なお、成形充填材は、熱膨張性耐火材の小片を内包する発泡体を含んでいる（例えば、特許文献１参照）。
【先行技術文献】
【特許文献】
【０００３】
【特許文献１】特開２００７−２９１７９５号公報（段落番号０００９〜００１３及び図１〜図３）
【発明の概要】
【発明が解決しようとする課題】
【０００４】
従来の防火区画貫通部構造は以上のように構成され、配管やケーブル及びこれらを支持するケーブルラックに対しての適用を想定したものである。これをバスダクトが貫通する隔壁に適用した場合には、火炎の熱の影響でバスダクトの筐体（ケース）が変形して、隔壁に充填された充填剤との間に隙間が生じてしまい、長時間の遮炎性が得られなかった。
【０００５】
この発明は前記のような問題点を解決するためになされたものであり、火災区域を分離する隔壁をバスダクトが貫通する貫通部の遮炎性能（通常の火災時における火炎を有効に遮るために防火設備に必要とされる性能）を向上させることのできるバスダクトの封止装置及び貫通部構造を得ることを目的とする。
【課題を解決するための手段】
【０００６】
この発明に係るバスダクトの封止装置においては、
バスダクトが貫通する隔壁と前記バスダクトとの間を封止するバスダクトの封止装置であって、
保持部材と封止部材とを備え、
前記保持部材は、前記バスダクトの外側にあって、前記バスダクトと前記隔壁との少なくとも一方に固定されるものであり、
前記封止部材は、遮炎性を有しかつ前記バスダクトの貫通方向と直交する方向に弾性変形可能であり、前記保持部材と前記バスダクトとの間に配置され前記保持部材により前記貫通方向と直交する方向に押圧され弾性変形した状態で前記バスダクトに接触するものである。
【０００７】
この発明に係るバスダクトの貫通部構造においては、
建築物に設けられた火災区域を画成する隔壁に形成された貫通孔をバスダクトが貫通する構造であって、
前記バスダクトが貫通する隔壁の少なくとも一方面側と前記バスダクトとの間は、前段に記載のバスダクトの封止装置で封止されるものである。
【発明の効果】
【０００８】
この発明に係るバスダクトの封止装置は、以上のように構成され、バスダクトが貫通する隔壁とバスダクトとの間を封止するバスダクトの封止装置であって、封止部材が保持部材とバスダクトとの間に配置されるとともに、保持部材によりバスダクトの貫通方向と直交する方向に押圧され弾性変形した状態でバスダクトに接触するものであるので、火災時の隔壁におけるバスダクトの貫通部の遮炎性能を向上させることができる。
【０００９】
この発明に係るバスダクトの貫通部構造は、バスダクトが貫通する隔壁とバスダクトとの間が前記のような封止装置により封止されるので、火災時の隔壁におけるバスダクトの貫通部の遮炎性能を向上させることができる。
【図面の簡単な説明】
【００１０】
【図１】この発明の実施の形態１であるバスダクトの封止装置の構成を示す構成図である。
【図２】この発明の実施の形態１であるバスダクトの封止装置の要部の構成を示す斜視図である。
【図３】この発明の実施の形態２であるバスダクトの封止装置の要部の構成を示す要部構成図である。
【発明を実施するための形態】
【００１１】
実施の形態１．
図１及び図２は、この発明を実施するための実施の形態１であるバスダクトの封止装置を示すものであり、図１（ａ）は全体を示す全体構成図、図１（ｂ）は図１（ａ）の要部Ａの詳細構成を示す要部構成図、図２は要部の構成を示す斜視図である。図１において、建築物における耐火性を有する耐火壁１は、火災区域を他の区域と分離するため、または防火区画を画成するために設けられたものである。耐火壁１は、図１における左右方向に貫通する断面矩形の貫通孔を形成する貫通孔形成部１ａを有する。バスダクト４は、ケース４ａ及び導体４ｂ（図２参照）を有する。ケース４ａは、鋼板で断面矩形に形成されている。導体４ｂは、断面が矩形であり、ケース４ａに収容され、ケース４ａの長手方向すなわちバスダクトの長手方向に延在している。バスダクト４のケース４ａは、貫通孔形成部１ａを貫通している。バスダクト４と貫通孔形成部１ａとの隙間にモルタル２が充填されている。なお、耐火壁１及びモルタル２が本発明における隔壁である。バスダクトの封止装置１０は、保持部材１１、収容部１３、ボルト１４、粘着テープ１５、封止部材としての不燃性ブランケット１８を有する。不燃性ブランケット１８は、例えば、分類温度が１３００℃で発がん性分類の対象とならない生体溶解性繊維であるアルカリアースシリケートウールを用い、繊維を積層しブランケット状とすることで弾性を持たせている。封止装置１０は、耐火壁１の左右両側に設けられている。なお、バスダクト４と貫通孔形成部１ａとの間の充填材として、モルタルの代わりに、他のものを用いてもよい。
【００１２】
保持部材１１は、４個の枠材１２を有する。各枠材１２は、２個の鋼材すなわちＬ形鋼１２ａとＺ形鋼１２ｂとを、互いの面を突き合わせて段違いに溶接して構成されている。４個の枠材１２は、矩形に組み合わされて、バスダクト４の外周部に、図２に示すようにバスダクト４を図２における上下左右から挟んですなわちバスダクト４の外周部を取り囲んで設けられている。固定部としてのＬ形鋼１２ａの一辺がそれぞれボルト１４にて固定され、バスダクト４との間に断面が矩形の収容部１３を形成している。１つの枠材１２につき複数のボルト１４でバスダクト４に固定することが望ましい。また枠材１２は粘着剤が塗布された耐熱性の粘着テープ１５（例えば粘着アルミテープ）により耐火壁１に接着固定され、枠材１２と耐火壁１との間が封止されている。収容部１３には、封止部材としての弾性を有する断面矩形の不燃性ブランケット１８が収容されている。不燃性ブランケット１８は、バスダクト４の貫通方向とそれに直交する方向とに弾性変形可能な状態で圧縮されかつバスダクト４と保持部材１１との間の隙間、およびバスダクト４と耐火壁１あるいはモルタル２との間の隙間を封止するようにして収容部１３に収容されている。
【００１３】
このように構成されたバスダクトの封止装置１０は、不燃性ブランケット１８が、弾性変形可能な状態でかつバスダクト４と保持部材１１との間の隙間、およびバスダクト４と耐火壁１あるいはモルタル２との間の隙間を封止するようにして収容部１３に収容されているので、バスダクト４と耐火壁１との間の隙間が不燃性ブランケット１８により封止されることになり遮炎性能が向上し、隔壁の一方側に火災が発生したときに、他方側へ炎が侵入するのを防止することができる。また、火熱による熱膨張によりバスダクト４が貫通方向と直交する方向に変形（特にケース４ａがへこむような変形）したり、バスダクト４がその貫通方向に伸びた場合でも、その変形に追随して弾性変形して保持部材１１とバスダクト４との間の隙間およびバスダクト４と耐火壁１あるいはモルタル２との間に隙間が生じるのを防止する。すなわち、バスダクト４と耐火壁１との間に隙間が発生するのを防止する。また、前述のように保持部材１１がバスダクト４に複数のボルト１４にて固定されているのでバスダクト４が補強され、貫通方向と交差する方向の熱変形（例えばケース４ａに湾曲が生じるような変形）が抑制され封止性能が向上し、遮炎性が向上する。
【００１４】
なお、封止部材は不燃性ブランケット１８に限らず遮炎性能を有する遮炎性ブランケット、さらに、火熱が定められた時間加えられた場合に溶融や破壊を生じることがない材料であればよい。封止部材としての不燃性ブランケット１８を含む前記のようなバスダクトの封止装置１０及び貫通部構造は、原子力規制委員会が規定する３時間以上の耐火能力を有する。
本実施の形態では保持部材１１はＬ形鋼１２ａとＺ形鋼１２ｂとで構成されるとしたが、それぞれ断面が図１（ｂ）に示すようなＬ形、Ｚ形の鋼材であればよく、平板状の鋼材をＬ字形またはＺ字形に曲げたものを用いてもよい。また保持部材１１は、１枚の平板状の鋼材に曲げ加工を施して図１（ｂ）に示すような封止部材を収容する収容部とバスダクト及び耐火壁に固定される固定部とを有する形状としたものであってもよいし、２つのＬ形鋼を段違いに溶接したものであってもよい。
また、封止装置は火災から守りたい区画側のみ、すなわち隔壁の片側のみに取り付けることでもよい。
【００１５】
実施の形態２．
図３は、実施の形態２であるバスダクトの封止装置の要部の構成を示す要部構成図である。前記実施の形態１では、保持部材１１を耐火壁１に耐熱性の粘着テープ１５で接着固定する例を示したが、この実施の形態である図３において、バスダクトの封止装置２０は、耐熱性の粘着テープ１５による接着に加えてボルト２４を有し、ボルト２４を用いて保持部材１１の枠材１２を耐火壁１に固定している。その他の構成については、図１に示した実施の形態１と同様のものであるので、相当するものに同じ符号を付して説明を省略する。これにより、バスダクトの封止装置２０がより強固に固定され、ケース４ａの変形や伸びに対しても一層封止性能が向上し、遮炎性が向上する。
【００１６】
なお、前記各実施の形態においては、保持部材１１がバスダクト４を図２における上下左右から枠材１２で挟むようにして取り囲む例を示したが、枠材を額縁状に構成して額縁状に取り囲むようにしてもよい。
また、本発明は、その発明の範囲内において、上述した各実施の形態を自由に組み合わせたり、各実施の形態を適宜、変更、省略したりすることが可能である。
【符号の説明】
【００１７】
１  耐火壁、２  モルタル、４  バスダクト、４ａ  ケース、１０  封止装置、
１１  保持部材、１２  枠材、１２ａ  Ｌ形鋼、１２ｂ  Ｚ形鋼、
１４  ボルト、１５  粘着テープ、１８  不燃性ブランケット、２０  封止装置、
２４  ボルト。
【図１】
2016059228.tif 000003
【図２】
2016059228.tif 000004
【図３】
2016059228.tif 000005